(57)【要約】【課題】  球受皿部の交換を可能にし、且つ球受皿部の固定強度を確保した遊技機を提供すること。【解決手段】  パチンコ機１０が備える下球皿ユニット１６の長手方向略中央部には、球受皿部６１が着脱可能に取り付けられている。球受皿部６１は、下方に行くに従って幅狭となる外形をなしている。球受皿部６１の左右両側には、前面側に突出する内側段部が設けられている。両方の内側段部には、球受皿部６１の側面に沿った形状をなす皿部支持面が設けられている。よって、球受皿部６１の取り付け時には、皿部支持面によって所定の取付位置までガイドされ、取り付け後には、球受皿部６１が一対の内側段部によって両側から挟みこんだ状態で支持される。【選択図】  図２
2005095225.tif 000002
【特許請求の範囲】
【請求項１】
球受皿部を有する球皿ユニットを備えた遊技機において、
前記球皿ユニットの長手方向略中央部に、下方に行くに従って幅狭となる外形の前記球受皿部を着脱可能に取り付け、前記球受皿部の少なくとも左右両側に前面側に突出する段部を設け、前記両方の段部に、前記球受皿部の側面に沿った形状の皿部支持面を設けたことを特徴とする遊技機。
【請求項２】
前記段部に装飾を施したことを特徴とする請求項１に記載の遊技機。
【請求項３】
前記段部に装飾部材を着脱可能に取り付けたことを特徴とする請求項１に記載の遊技機。
【請求項４】
前記球皿ユニットは、遊技機の外郭を形成する遊技機枠に取り付けられるベース部材と、前記ベース部材の前面側に取り付けられるカバー部材と、前記ベース部材及び前記カバー部材によって挟持される前記装飾部材とを含んで構成され、
前面側に突出する左右一対の後側段部が前記ベース部材に設けられ、その外周縁に係合部が形成される一方、前記装飾部材の外周部に前記係合部に係合可能な形状のフランジ部が形成され、前記カバー部材に開口部が設けられ、その開口部の周縁部には前記フランジ部が当接可能であることを特徴とする請求項３に記載の遊技機。
【請求項５】
前記段部は、遊技に関する操作手段としての機能を有していることを特徴とする請求項１乃至４のいずれか１項に記載の遊技機。
【発明の詳細な説明】
【技術分野】
【０００１】
本発明は、パチンコ機やスロット機などの遊技機に係り、特には、遊技球を受ける球受皿部などを有する球皿ユニットを備えた遊技機に関するものである。
【背景技術】
【０００２】
遊技機の一種であるパチンコ機は、賞球（遊技球）が払い出される上球皿（上球皿ユニット）と、上球皿に溜まった遊技球が多くなったときに上球皿から遊技球が移される下球皿（下球皿ユニット）とを備えている。
【０００３】
ところで近年、下球皿ユニットの意匠をパチンコ機の機種変更時に併せて変更したいという要求がある。そこで、例えば、下球皿ユニットの球受皿部（下皿基体）に下皿装飾カバーを着脱可能に取り付けることにより、下皿装飾カバーを交換できるようにしたものが従来提案されている（例えば、特許文献１参照）。
【０００４】
【特許文献１】特開平１０−７６０４６号公報
【発明の開示】
【発明が解決しようとする課題】
【０００５】
ところが、上記従来技術では、下皿装飾カバーの交換は可能であったが、球受皿部自体の交換ができるようには構成されていなかった。本来であれば、煙草が押し付けられるなどの悪戯により下皿装飾カバーのみならず球受皿部全体が汚損してしまった場合には、球受皿部全体を交換することが好ましい。しかし、球受皿部は遊技球を貯留する部位であり大きな荷重がかかるため、球受皿部を着脱可能に構成した場合には強度不足が懸念される。
【０００６】
本発明は上記の課題に鑑みてなされたものであり、その目的は、球受皿部の交換を可能にし、かつ球受皿部の固定強度を確保した遊技機を提供することにある。
【課題を解決するための手段】
【０００７】
上記課題を解決するために、請求項１に記載の発明は、球受皿部を有する球皿ユニットを備えた遊技機において、前記球皿ユニットの長手方向略中央部に、下方に行くに従って幅狭となる外形の前記球受皿部を着脱可能に取り付け、前記球受皿部の少なくとも左右両側に前面側に突出する段部を設け、前記両方の段部に、前記球受皿部の側面に沿った形状の皿部支持面を設けたことを特徴とする遊技機をその要旨とする。
【０００８】
従って、請求項１に記載の発明によると、球皿ユニットに球受皿部が着脱可能に取り付けられている。そのため、例えば、パチンコ機の機種変更時に併せて球皿ユニットの意匠を大幅変更したい場合であっても、球受皿部の装飾等とともに球受皿部を交換することができる。また、煙草が押し付けられるなどの悪戯により球受皿部が汚損してしまった場合であっても、球受皿部を交換することができる。また、皿部支持面は球受皿部の側面に沿った形状をなしていることから、一対の皿部支持面は下方に行くに従って互いに接近するテーパ面となっている。よって、球受皿部の取り付け時には、球受皿部を前記一対の皿部支持面によって所定の取付位置までガイドすることができる。そのため、球受皿部の位置決めをシビアに行う必要がなく、取り付け作業が容易になる。しかも、取り付け後には、球受皿部が一対の段部によって両側から挟み込んだ状態で支持されるため、球受皿部にズレが生じにくくなり、十分な固定強度が確保される。
【０００９】
なお、遊技機に球皿ユニットを取り付けた場合、「球皿ユニットの長手方向」とは、遊技機の機表側から見たときの左右方向になる。
【００１０】
ここで「球受皿部」とは下球受皿部を意味するが、上球受皿部と下球受皿部とが一体的に形成された上下一体皿であってもよい。
【００１１】
前記球受皿部は、遊技球が溜まる凹部を有する皿部本体と、その皿部本体の前面側を覆う皿部本体カバーとによって構成されていてもよく、あるいは、皿部本体及び皿部本体カバーの区別がなく基本的に単一の部材で構成されていてもよい。
【００１２】
請求項２に記載の発明は、請求項１において、前記段部に装飾を施したことをその要旨とする。
【００１３】
本発明では、下方に行くに従って幅狭となる外形の球受皿部を使用しているため、球受皿部の左右下方位置、つまり一対の段部がある位置が、殺風景になりやすい。その点、請求項２に記載の発明のように段部に装飾を施せば、球受皿部の左右下方位置が殺風景になるのを防止することができる。
【００１４】
ここで、「段部に装飾を施す」とは、段部に装飾部材を設けたり、段部に発光手段を設けたり、段部にシール部材を貼付したり、段部にめっきや着色を施したりすることをいう。ここで用いられる「発光手段」としては、小型電球、発光ダイオードなどが挙げられるが、特には発光ダイオードを用いるのが好ましい。このように構成することにより、発光手段の長寿命化、省電力化を図ることができるからである。
【００１５】
請求項３に記載の発明は、請求項１において、前記段部に装飾部材を着脱可能に取り付けたことをその要旨とする。
【００１６】
従って、請求項３に記載の発明によると、装飾部材が着脱可能となるため、遊技機の機種変更時に異なった意匠の装飾部材に交換することができる。
【００１７】
ここで、段部に発光手段が設けられ、装飾部材が発光手段を覆うように取り付けられている場合、装飾部材は光透過性を有する材料によって形成されることが好ましい。このようにすれば、発光手段を発光させることにより装飾部材の意匠性を高めることができる。
【００１８】
さらに、装飾部材が光透過性を有する材料によって形成されている場合、装飾部材の裏面に、複数の溝部を形成したり、ディンプル加工やシボ加工などの光拡散処理を施したりしてもよい。このようにすれば、光が複雑に拡散されることで通常では得られない面白い光演出効果を醸し出すことが可能となり、装飾部材の意匠性をさらに高めることができるからである。
【００１９】
請求項４に記載の発明は、請求項３において、前記球皿ユニットは、遊技機の外郭を形成する遊技機枠に取り付けられるベース部材と、前記ベース部材の前面側に取り付けられるカバー部材と、前記ベース部材及び前記カバー部材によって挟持される前記装飾部材とを含んで構成され、前面側に突出する左右一対の後側段部が前記ベース部材に設けられ、その外周縁に係合部が形成される一方、前記装飾部材の外周部に前記係合部に係合可能な形状のフランジ部が形成され、前記カバー部材に開口部が設けられ、その開口部の周縁部には前記フランジ部が当接可能であることをその要旨とする。
【００２０】
従って、請求項４に記載の発明によると、装飾部材のフランジ部を、後側段部に形成された係合部に係合させ、カバー部材に設けられた開口部の周縁部に当接させた状態で、ベース部材にカバー部材を取り付けるだけで、装飾部材がベース部材及びカバー部材間に挟持される。よって、球皿ユニットに装飾部材を容易に組み付けることができる。また、この構成によれば、装飾部材を球皿ユニットから容易に取り外すことができる。
【００２１】
なお、フランジ部は、必ずしも装飾部材の外周部全体に形成されていなくてもよく、装飾部材の外周部の一部分のみに形成されていてもよい。ただし、フランジ部を装飾部材の外周部の一部分に形成する場合、フランジ部は、装飾部材の周方向において等間隔に複数個配置されることが好ましい。このように構成すれば、装飾部材のガタツキを防止することができる。
【００２２】
請求項５に記載の発明は、請求項１乃至４のいずれか１項において、前記段部は、遊技に関する操作手段としての機能を有していることをその要旨とする。
【００２３】
従って、請求項５に記載の発明によると、装飾部材に操作手段としての機能をもたせることにより、操作手段を装飾部材と別々に設けなくても済む。よって、遊技機全体のデザインの自由度を高めることが可能になるとともに、球皿ユニットの成形コストを低減させることができる。しかも、装飾部材が実は操作手段でもあるという斬新なアイデアが遊技者に興趣をもたせることができる。また、遊技者が握っている操作ハンドルの近傍に配置されている装飾部材を操作手段とすれば、遊技者は操作ハンドルを操作しながら、操作手段の操作を行うことができる。
【発明の効果】
【００２４】
以上詳述したように、請求項１〜５に記載の発明によれば、球受皿部の交換を可能にし、かつ球受皿部の固定強度を確保した遊技機を提供することができる。
【発明を実施するための最良の形態】
【００２５】
［第１の実施形態］
【００２６】
以下、本発明の遊技機を具体化したパチンコ機１０の一実施形態を図１〜図５に基づき説明する。
【００２７】
図１には、パチンコ機１０の機表側が略示されている。機体の外郭を形成する遊技機枠としての外枠１１の開口前面側には、各種の遊技用構成部材をセットする縦長方形状の中枠１２が開閉及び着脱自在に組み付けられている。また、中枠１２の前面側には、機内部に配置された遊技盤１３を透視保護するためのガラス枠を備えた前枠１４と、上球皿ユニット１５とが、ともに横開き状態で開閉可能に組み付けられている。中枠１２の前面側において上球皿ユニット１５の下方には、球皿ユニットとしての下球皿ユニット１６などが装着されている。また、遊技盤１３のほぼ中央部には図柄表示装置（図示略）が配置されている。
【００２８】
下球皿ユニット１６の長手方向一端側（図１において右側）には、打球発射操作を行うための操作ハンドル１７が着脱可能に取り付けられている。操作ハンドル１７は、同操作ハンドル１７の前後方向に延びる軸本体（図示略）と、軸本体を中心として回動する回動部としての指掛け部１７ａを備えている。また、下球皿ユニット１６の長手方向他端側（図１において左側）には、灰皿１８が着脱可能かつ回転可能に取り付けられている。灰皿１８は、同灰皿１８の前後方向に延びる軸部（図示略）と、軸部を中心として回動する回動部としての皿部１８ａを備えている。
【００２９】
本実施形態の下球皿ユニット１６は、前記上球皿ユニット１５に溜まった遊技球が多くなったときに上球皿ユニット１５から移されてくる遊技球や、機裏側に配置されている払出手段（図示略）から払い出される遊技球を溜めるためのものである。図２〜図４に示されるように、下球皿ユニット１６は、ベース部材２１、カバー部材５１及び一対の装飾部材４１を備えている。ベース部材２１は、前記中枠１２に取り付けられるようになっている。
【００３０】
図４に示されるように、ベース部材２１の長手方向中央には、払出手段から払い出される遊技球を後記する球受皿部６１に供給するための遊技球排出口３０が設けられている。ベース部材２１の長手方向一端側（図４において右側）には、一対の台座位置決め用リブ２２が形成されている。ベース部材２１の両台座位置決め用リブ２２間には、台座２３が図示しないネジを用いて固定されるようになっている。台座２３は、略矩形板状をなし両台座位置決め用リブ２２間に挿入される台座基部２４と、円筒状をなし台座基部２４から前面側に突出する筒部２５とを備えている。筒部２５の内径は、前記操作ハンドル１７の前記軸本体の外径よりもやや大きく設定されている。よって、筒部２５に軸本体を挿入した状態で、筒部２５に操作ハンドル１７がネジ止めされる。
【００３１】
また、ベース部材２１の長手方向他端側（図４において左側）には、略円環状をなす灰皿位置決め用リブ２６が形成されている。灰皿位置決め用リブ２６の内径は、前記灰皿１８の前記軸部の外径よりもやや大きく設定されている。よって、灰皿位置決め用リブ２６内に軸部を挿入した状態で、ベース部材２１に灰皿１８がネジ止めされる。
【００３２】
図４に示されるように、ベース部材２１において台座位置決め用リブ２２よりもやや左側には、一対の係合爪２７が突設されている。両係合爪２７間には、上球皿ユニット１５から移されてくる遊技球を通過させるための球通路部材２８が係合されるようになっている。球通路部材２８は、断面略半円状をなしており、外周面の一部には両係合爪２７を係合させるための被係合部２９が形成されている。球通路部材２８は、ベース部材２１の上端から下方に延びており、下方に行くに従ってベース部材２１の長手方向中央に向けて延びている。
【００３３】
図４及び図５に示されるように、ベース部材２１には、左右一対の段部（以下、「後側段部」という）３１が合成樹脂によって一体形成されている。一方の後側段部３１は台座位置決め用リブ２２と係合爪２７との間に配置されおり、他方の後側段部３１はベース部材２１において前記灰皿位置決め用リブ２６よりもやや右側に配置されている。各後側段部３１は、前面側にそれぞれ同じ高さだけ突出されている。各後側段部３１は、ベース部材２１の前面から見て略三角形状をなしており、ベース部材２１において互いに左右対称となるように形成されている。右側の後側段部３１の右側面３１ａは、ベース部材２１に取り付けられる前記台座２３の前記筒部２５の外周面に略沿って凹状に湾曲している。左側の後側段部３１の左側面３１ｂは、灰皿位置決め用リブ２６の外周縁に沿って凹状に湾曲している。また、両方の後側段部３１には、それぞれ皿部支持面３２が設けられている。両皿部支持面３２は、後側段部３１においてベース部材２１の長手方向中央側に位置する面である。一対の皿部支持面３２は、後記する球受皿部６１の側面６８に沿った形状をなしていることから、ベース部材２１の下端側に行くに従って互いに接近するテーパ面となっている。
【００３４】
図５に示されるように、後側段部３１の前面には、略三角形状をなす深さ１ｍｍ以下のシール位置決め用凹部３３が設けられている。シール位置決め用凹部３３の底面には、略三角形状をなし可撓性を有するシール部材３４が貼付されている。シール部材３４の表面には、金属光沢を有する装飾が施されている。また、後側段部３１の外周縁には、装飾部材係合部３５が形成されている。装飾部材係合部３５は、後側段部３１の外周縁略全体に亘って延びており、後側段部３１の前面よりも一段低くなっている。
【００３５】
図４に示されるように、両後側段部３１の前面側には、それぞれ前記装飾部材４１が着脱可能に取り付けられるようになっている。装飾部材４１は、青色に着色された光透過性樹脂からなる樹脂成形品であり、前面から見て後側段部３１と同様の略三角形状をなしている。なお、本実施形態においては装飾部材４１が青色に着色されているが、黄色、赤色、緑色、紫色などの他の色に着色されていてもよいし、無色であってもよい。また、本実施形態においては装飾部材４１が設けられているが、特に設けられていなくてもよい。装飾部材４１の外周部には、同装飾部材４１の外周縁略全体に亘って延びるフランジ部４２が形成されている。
【００３６】
図５に示されるように、装飾部材４１は断面略コ字状をなしており、フランジ部４２、壁部４３及び光透過部４４を備えている。フランジ部４２の幅は前記装飾部材係合部３５の底面３５ａの幅と等しくなっている。壁部４３は、装飾部材係合部３５の底面３５ａから後側段部３１の前面までの高さよりも高くなっており、内側面が装飾部材係合部３５の壁面３５ｂに当接可能になっている。即ち、フランジ部４２は装飾部材係合部３５に係合可能な形状をなしている。従って、フランジ部４２が装飾部材係合部３５に係合することにより、後側段部３１に装飾部材４１が着脱可能に取り付けられる。
【００３７】
図５に示されるように、平板状の光透過部４４の裏面には複数の溝部４４ａが設けられている。これにより、光透過部４４の裏面には、光拡散処理（具体的にはディンプル加工）が施されることとなる。このような光拡散処理を施した場合、光がより複雑に拡散されるため、光拡散処理を施していない場合には得られない面白い光演出効果を醸し出すことが可能となる。なお、本実施形態においては溝部４４ａが設けられているが、特に設けられていなくてもよい。
【００３８】
図２及び図５に示されるように、後側段部３１の基端から光透過部４４の前面４５までの高さは、右側の後側段部３１の基端から前記操作ハンドル１７の前記指掛け部１７ａの回動軌道までの高さよりも低くなるように設定されている。これにより、操作ハンドル１７の操作時に、指掛け部１７ａに掛けられた遊技者の指が装飾部材４１に接触するのが防止される。また、左側の後側段部３１の基端から光透過部４４の前面４５までの高さは、後側段部３１の基端から前記灰皿１８の前記皿部１８ａの回動軌道までの高さよりも低くなるように設定されている。これにより、灰皿１８の清掃時に灰皿１８を時計回り方向または反時計回り方向に回動させた際にも、清掃者の手が装飾部材４１に接触せず、効率の良い清掃作業が可能となる。
【００３９】
図４に示されるように、前記ベース部材２１の前面側には、前記カバー部材５１が図示しないネジを用いて取り付けられるようになっている。カバー部材５１は、ベース部材２１の長手方向一端側（図４において右側）に第１貫通孔５２を有し、ベース部材２１の長手方向他端側（図４において左側）に第２貫通孔５３を有する樹脂成形品である。第１貫通孔５２には前記台座２３の筒部２５が挿通され、第２貫通孔５３には灰皿１８の前記軸部が挿通されるようになっている。
【００４０】
図４及び図５に示されるように、カバー部材５１には、前記装飾部材４１の形状に対応して略三角形状の開口部５４が左右一対で設けられている。一方の開口部５４はカバー部材５１において第１貫通孔５２のやや左側に配置され、他方の開口部５４は第２貫通孔５３のやや右側に配置されている。開口部５４には装飾部材４１の前記光透過部４４及び前記壁部４３が挿通可能となっており、開口部５４の周縁部裏面には前記フランジ部４２が当接可能になっている。これにより、装飾部材４１が、ベース部材２１及びカバー部材５１にて挟持され、光透過部４４及び壁部４３の大部分が、開口部５４を介してカバー部材５１から突出するようになっている。
【００４１】
図２〜図５に示されるように、カバー部材５１には一対の前側段部５５が形成されている。両方の前側段部５５において両方の前記後側段部３１の前記皿部支持面３２がそれぞれ接触する部分は、断面略Ｌ字状をなし、それぞれ皿部接触面５６を有している。図３に示されるように、両皿部接触面５６は、前側段部５５においてカバー部材５１の長手方向中央側に位置する面である。一対の皿部接触面５６は、後記する球受皿部６１の側面６８に沿った形状をなしていることから、カバー部材５１の下端側に行くに従って互いに接近するテーパ面となっている。また、両方の前側段部５５は、カバー部材５１の下端部において連結部５７により互いに接続されている。連結部５７の上部には、後記する球受皿部６１の下面６９に沿った形状をなす支持面５７ａが設けられている。支持面５７ａは、両方の皿部接触面５６の下端にそれぞれ接しており、両方の皿部接触面５６に連続した面となっている。
【００４２】
図３に示されるように、前記下球皿ユニット１６の長手方向略中央部には、球受皿部６１が下球皿ユニット１６の上方から着脱可能に取り付けられるようになっている。球受皿部６１は前面から見て略凹状をなしている。図４に示されるように、球受皿部６１は、前記上球皿ユニット１５から前記球通路部材２８を介して移されてきた遊技球や、前記払出手段から前記遊技球排出口３０を介して払い出された遊技球を溜める下皿基体（皿部本体）６２と、同下皿基体６２の前面に着脱可能に取り付けられる下皿装飾カバー（皿部本体カバー）６３とを備えている。下皿基体６２の皿底面６４の中央部付近には、下皿基体６２に溜められた遊技球を流出させる流出口６５が設けられている。流出口６５は、図１に示す扉状の開閉板６６によって閉鎖されている。また、図３に示されるように、下皿装飾カバー６３の前面側には、操作ボタン６７が下皿装飾カバー６３の外側面から出没可能に設けられている。操作ボタン６７を押圧操作すると、開閉板６６は通常の閉鎖位置から開放位置に変位するように構成されている。
【００４３】
下球皿ユニット１６の右端部近傍に前記操作ハンドル１７が配置される一方、左端部近傍に前記灰皿１８が配置されるため、従来の下球皿ユニットにあっては、操作ハンドル１７の回動操作時、あるいは灰皿１８の清掃時の回動操作に際して、遊技者や清掃者の手が球受皿部に接触してしまう。図２及び図３に示される本実施形態の下球皿ユニット１６にあっては、これを防止するために、球受皿部６１が下方に行くに従って幅狭となる外形をなしている。これにより、図２に示す組立完了後の下球皿ユニット１６においては、球受皿部６１と前記操作ハンドル１７との間、及び、球受皿部６１と前記灰皿１８との間にそれぞれ空きスペースが生じることとなる。ゆえに、操作ハンドル１７や灰皿１８の操作空間が確保される。そして、両方の空きスペースが殺風景になるのを防止するために、両方の空きスペースにはそれぞれ前記装飾部材４１が設けられている。また、図３及び図４に示すように、球受皿部６１の両側面６８は、それぞれ前記後側段部３１の前記皿部支持面３２及び前記前側段部５５の前記皿部接触面５６に沿った形状をなしている。そして、側面６８における球受皿部６１及び前記ベース部材２１の接続部分近傍は、皿部接触面５６に接触するようになっている。ゆえに、球受皿部６１は、一対の前側段部５５を介して一対の後側段部３１により両側から挟み込んだ状態で支持される。また、球受皿部６１の下面６９は、前記連結部５７の前記支持面５７ａに沿った形状をなしている。そして、下面６９における球受皿部６１及びベース部材２１の接続部分近傍は、支持面５７ａに接触するようになっている。従って、球受皿部６１は、一対の前側段部５５及び連結部５７によって強固に支持される。
【００４４】
次に、下球皿ユニット１６の組立方法について説明する。
【００４５】
まず、図４に示される状態において、ベース部材２１に、台座２３をネジ止めするとともに、球通路部材２８を取り付ける。さらに、両方の後側段部３１のシール位置決め用凹部３３に、それぞれ略三角形状をなすシール部材３４を貼り付ける。
【００４６】
次に、図５に示されるように、装飾部材４１を、一対の後側段部３１の前面側にそれぞれ配置する。そして、装飾部材４１を後側段部３１側（図５において下側）に移動させ、装飾部材４１のフランジ部４２全体を後側段部３１の装飾部材係合部３５の底面３５ａに接触させる。この状態において、カバー部材５１を、装飾部材４１及び後側段部３１側（図５において下側）に移動させる。このとき、台座２３の筒部２５が、背面側からカバー部材５１の第１貫通孔５２内に挿入されるとともに、装飾部材４１の光透過部４４及び壁部４３が、背面側からカバー部材５１の開口部５４内に挿入される。その結果、フランジ部４２が開口部５４の周縁部裏面に当接し、装飾部材４１がベース部材２１及びカバー部材５１にて挟持される。また、筒部２５が第１貫通孔５２を介してカバー部材５１から突出されるとともに、光透過部４４及び壁部４３の大部分が、開口部５４を介してカバー部材５１から突出される。この状態において、カバー部材５１をベース部材２１にネジ止めすることにより、カバー部材５１がベース部材２１に固定され、図３に示される組立中間物Ａ１が構成される。
【００４７】
また、下皿基体６２の前面に下皿装飾カバー６３を取り付けるなどして、球受皿部６１をあらかじめ組み立てておく。そして、図３に示されるように、球受皿部６１を、前工程において組み立てた組立中間物Ａ１の斜め上方かつ前方に配置し、組立中間物Ａ１の皿部接触面５６及び連結部５７に向けて斜め下方かつ後方（図３において下側かつ紙面奥側）に移動させる。このとき、球受皿部６１は、両側面６８がそれぞれ後側段部３１の皿部支持面３２及び前側段部５５の皿部接触面５６にガイドされながら移動する。即ち、一対の後側段部３１及び一対の前側段部５５は、球受皿部６１を装着するためのガイド手段として機能する。そのため、球受皿部６１の位置決めをシビアに行わなくても、球受皿部６１が所定の取付位置までガイドされ、側面６８が球受皿部６１及びベース部材２１の接続部分近傍において皿部接触面５６に完全に接触する。それとともに、球受皿部６１の下面６９が、球受皿部６１及びベース部材２１の接続部分近傍において連結部５７の支持面５７ａに完全に接触する。その結果、球受皿部６１は、一対の前側段部５５を介して一対の後側段部３１により両側から挟み込んだ状態で支持されるとともに、連結部５７により下側から支持される。そして、球受皿部６１をベース部材２１にネジ止めすることにより、球受皿部６１がベース部材２１に固定される。
【００４８】
その後、筒部２５に操作ハンドル１７の軸本体を挿入してネジ止めすることにより、操作ハンドル１７が筒部２５に固定される。また、ベース部材２１の灰皿位置決め用リブ２６内に、前記カバー部材５１の前記第２貫通孔５３を介して灰皿１８の軸部を挿入してネジ止めすることにより、灰皿１８がベース部材２１に固定される。その結果、下球皿ユニット１６が組み立てられる。
【００４９】
次に、球受皿部６１の交換方法について説明する。
【００５０】
例えば、パチンコ機１０の機種変更時に併せて下球皿ユニット１６の意匠を大幅変更したい場合や、煙草が押し付けられるなどの悪戯により球受皿部６１が汚損してしまった場合に、球受皿部６１のネジを外して上方（図３において上側）に移動させると、球受皿部６１が取り外される。
【００５１】
そして、取り外した球受皿部６１とは別の球受皿部を、下球皿ユニット１６の組立時と同様に組立中間物Ａ１の上方に配置し、組立中間物Ａ１側（図５において下側）に移動させる。その結果、球受皿部は、一対の前側段部５５を介して一対の後側段部３１により両側から挟み込んだ状態で支持される。そして、球受皿部をベース部材２１にネジ止めすることにより、球受皿部がベース部材２１に固定され、球受皿部６１の交換が完了する。
【００５２】
従って、本実施形態によれば以下の効果を得ることができる。
【００５３】
（１）下球皿ユニット１６に球受皿部６１が着脱可能に取り付けられている。そのため、例えば、パチンコ機１０の機種変更時に併せて下球皿ユニット１６の意匠を大幅変更したい場合であっても、下皿装飾カバー６３等とともに球受皿部６１を交換することができる。また、煙草が押し付けられるなどの悪戯により球受皿部６１が汚損してしまった場合であっても、球受皿部６１を交換することができる。
【００５４】
また、皿部支持面３２は球受皿部６１の側面６８に沿った形状をなしていることから、一対の皿部支持面３２は下方に行くに従って互いに接近するテーパ面となっている。さらに、皿部接触面５６も球受皿部６１の側面６８に沿った形状をなしていることから、一対の皿部接触面５６は下方に行くに従って互いに接近するテーパ面となっている。よって、球受皿部６１の取り付け時には、球受皿部６１を前記一対の皿部支持面３２及び一対の皿部接触面５６によって所定の取付位置までガイドすることができる。それとともに、球受皿部６１の下面６９を連結部５７の支持面５７ａに接触させることにより、球受皿部６１を所定の取付位置に位置決めできる。そのため、球受皿部６１の位置決めをシビアに行う必要がなく、取り付け作業が容易になる。
【００５５】
しかも、取り付け後には、球受皿部６１が、一対の前側段部５５を介して一対の後側段部３１によって両側から挟み込んだ状態で支持され、連結部５７により下側から支持される。そのため、球受皿部６１にズレが生じにくくなり、十分な固定強度が確保される。
【００５６】
（２）本実施形態では、下方に行くに従って幅狭となる外形の球受皿部６１を使用しているため、球受皿部６１の左右下方位置、つまり一対の後側段部３１がある位置が、殺風景になりやすい。しかし、後側段部３１の前面に設けられたシール位置決め用凹部３３の底面に、金属光沢を有する装飾が施されたシール部材３４が貼付され、後側段部３１の前面側に、青色に着色された光透過性樹脂からなる装飾部材４１が着脱可能に取り付けられている。そのため、球受皿部６１の左右下方位置が殺風景になるのを防止することができる。
【００５７】
また、後側段部３１の前面に金属光沢を有するシール部材３４が配置され、シール部材３４を覆うように光透過性を有する装飾部材４１が取り付けられているため、特に発光手段を設けたりしなくても、シール部材３４による光の反射により装飾部材４１が発光しているように見せることができる。
【００５８】
（３）装飾部材４１が後側段部３１に対して着脱可能となるため、パチンコ機１０の機種変更時に異なった意匠の装飾部材に交換することができる。例えば、それぞれ異なる色に着色されたレンズを複数用意しておけば、所望の色のレンズに交換可能である。
【００５９】
（４）装飾部材４１のフランジ部４２を、後側段部３１に形成された装飾部材係合部３５に係合させ、カバー部材５１に設けられた開口部５４の周縁部に当接させた状態で、ベース部材２１にカバー部材５１を取り付けるだけで、装飾部材４１がベース部材２１及びカバー部材５１間に挟持される。よって、下球皿ユニット１６に装飾部材４１を容易に組み付けることができる。また、この構成によれば、装飾部材４１を下球皿ユニット１６から容易に取り外すことができる。
【００６０】
（５）後側段部３１の基端から装飾部材４１の前面４５までの高さは、後側段部３１の基端から操作ハンドル１７の指掛け部１７ａの回動軌道までの高さよりも低くなるように設定されている。よって、操作ハンドル１７の操作時に、指掛け部１７ａに掛けられた遊技者の指が装飾部材４１に接触するのを防止できるため、操作ハンドル１７の操作性を維持することができる。
【００６１】
（６）灰皿１８が前後方向に延びる軸部を中心として回動する回動式であるため、後側段部３１の基端から装飾部材４１の前面４５までの高さが、後側段部３１の基端から灰皿１８の皿部１８ａの回動軌道までの高さよりも低くなるように設定されている。よって、灰皿１８の清掃時に灰皿１８を時計回り方向または反時計回り方向に回動させた際にも、清掃者の手が装飾部材４１に接触せず、効率の良い清掃作業が可能となる。
【００６２】
（７）灰皿１８は、下球皿ユニット１６に対して回転可能に取り付けられている。よって、皿部１８ａを回動させるだけで皿部１８ａ内に溜まった煙草などのごみを捨てることができるため、灰皿１８の掃除が容易になる。
【００６３】
（８）本実施形態では、球受皿部６１のみならずカバー部材５１もベース部材２１に対して着脱可能となっているため、球受皿部６１を交換することなくカバー部材５１のみを交換することもできる。
［第２の実施形態］
【００６４】
次に、図６及び図７に基づいて第２の実施形態のパチンコ機１０について説明する。なお、第１の実施形態と共通している構成については、同一の部材番号を付す代わりに、その詳細な説明を省略する。
【００６５】
図６に示されるように、ベース部材２１において遊技者が握っている操作ハンドル１７の近傍に配置される後側段部３１の前面には、凹部７１が設けられている。凹部７１の底面には、複数のコイルバネ７２、発光手段としての複数の発光ダイオード７３及び第１接点７４が設けられている。コイルバネ７２は、その一端が凹部７１の開口から突出するように凹部７１に固定されている。発光ダイオード７３の先端及び第１接点７４の先端は、凹部７１の開口端よりも低くなっている。なお、実際上は、発光ダイオード７３及び第１接点７４が取り付けられる図示しない基板が凹部７１の底面に設けられており、その基板に対して給電が行われるようになっている。また、発光ダイオード７３は、図示しないランプ制御基板に接続されており、ランプ制御基板から出力される制御信号に基づいて点灯するようになっている。発光ダイオード７３の照射方向は遊技者側に設定されている。また、操作スイッチ８１が押圧され、第２接点８４の先端面が第１接点７４の先端面に接触すると、所定のＯＮ信号が後記する主制御手段９９（図７参照）に出力されるようになっている。
【００６６】
後側段部３１の前面側には、操作手段としての操作スイッチ８１が配置されている。つまり、操作スイッチ８１は、コイルバネ７２、発光ダイオード７３及び第１接点７４を覆うように配置されている。また、操作スイッチ８１は、カバー部材５１の開口部５４に対して出没可能に配置されている。本実施形態の操作スイッチ８１は、遊技者によって押圧操作されることにより、遊技の開始操作を行うための機能を有している。
【００６７】
操作スイッチ８１は、前記第１の実施形態における装飾部材４１に操作手段としての機能をもたせたものであるため、装飾部材４１と略同様の構成をなしている。即ち、操作スイッチ８１も、断面略コ字状をなしており、フランジ部４２、壁部４３及び光透過部４４を備えている。光透過部４４の裏面には、複数の溝部４４ａが設けられるとともに、接点支持部８２と複数のバネ支持部８３とが形成されている。接点支持部８２は、第１接点７４に向かい合うように配置されており、第２接点８４を備えている。第２接点８４の先端面は、操作スイッチ８１がカバー部材５１に対して没入されたときに第１接点７４の先端面に接触するようになっている。バネ支持部８３は、凹部７１の底面から延びるコイルバネ７２の先端を支持するためのものである。これにより、操作スイッチ８１は、ベース部材２１及びカバー部材５１にてコイルバネ７２を介して挟持されるようになっている。
【００６８】
ゆえに、操作スイッチ８１が遊技者によって押圧操作されると、操作スイッチ８１が開口部５４内に没入される。そして、操作スイッチ８１が押圧されるのに伴い、コイルバネ７２が圧縮されるとともに、第２接点８４の先端面が第１接点７４の先端面に接触する。これら第１接点７４及び第２接点８４の接触によってＯＮ信号が主制御手段９９（図７参照）に出力されると、主制御手段９９による制御が開始される。なお、ＯＮ信号は、操作スイッチ８１を１回押圧操作する度に出力されるようになっており、押圧操作が継続した場合（押しっ放しの場合）にＯＮ信号が繰り返して出力されないように構成されている。
【００６９】
その後、遊技者による操作スイッチ８１の押圧操作が解除されると、操作スイッチ８１は、コイルバネ７２に付勢されて開口部５４から突出し、押圧操作前の状態に復帰する。
【００７０】
次に、操作スイッチ８１によって構成される電気回路について説明する。図７に示されるように、電気回路９１は、第１電気経路９２及び第２電気経路９３を有している。第１電気経路９２及び第２電気経路９３の始端は、１２（Ｖ）の直流電源に電気的に接続されている。
【００７１】
第１電気経路９２上には抵抗９４が設けられている。抵抗９４の一端は直流電源に電気的に接続されている。抵抗９４の他端は抵抗９５の一端に接続され、抵抗９５の他端は接地されている。また、抵抗９４の他端は、コンパレータ９６のマイナス側入力端子に接続されている。そして、コンパレータ９６の出力端子は主制御手段９９に接続されている。抵抗９４は、直流電源から流れてきた電気の電圧を降下させて、抵抗９５及びコンパレータ９６に流すためのものである。抵抗９５は、抵抗９４の他端からコンパレータ９６のマイナス側入力端子までの間を流れる電気の電圧を調節するためのものである。コンパレータ９６のマイナス側入力端子の入力電圧は、抵抗９４と抵抗９５との抵抗値比率によって決定されるようになっている。抵抗９４，９５の抵抗値はそれぞれ３（ｋΩ）に設定されているため、抵抗値比率は抵抗９４：抵抗９５＝１：１となる。また、第１電気経路９２の始端は１２（Ｖ）の直流電源に接続されている。以上のことから、コンパレータ９６のマイナス側入力端子の入力電圧は６（Ｖ）に決定される。
【００７２】
図７に示されるように、前記第２電気経路９３上には、抵抗９７と、前記操作スイッチ８１の前記第２接点８４が接離する前記第１接点７４の左側接点７４ａ及び右側接点７４ｂとが上流側から順番に設けられている。抵抗９７の一端は直流電源に電気的に接続され、抵抗９７の他端は左側接点７４ａに接続されている。右側接点７４ｂは抵抗９８の一端に接続され、抵抗９８の他端は接地されている。また、右側接点７４ｂは、コンパレータ９６のプラス側入力端子に接続されている。抵抗９７は、左側接点７４ａ及び右側接点７４ｂに第２接点８４が接触している場合に、直流電源から流れてきた電気の電圧を降下させて、抵抗９８及びコンパレータ９６に流すためのものである。また、抵抗９７の抵抗値は０．２（Ω）に設定され、抵抗９８の抵抗値は４（ｋΩ）に設定されている。このため、他端が接地されている抵抗９８側には電気が流れにくくなる。また、抵抗９７と抵抗９８との抵抗値比率が抵抗９７：抵抗９８＝０．２(Ω)：４(ｋΩ)に設定され、第２電気経路９３の始端が１２（Ｖ）の直流電源に接続されていることから、コンパレータ９６のプラス側入力端子の入力電圧は約１１．９（Ｖ）に決定される。
【００７３】
図７に示されるように、コンパレータ９６は、同コンパレータ９６のプラス側入力端子に入力される電気の電圧が、マイナス側入力端子に入力される電気の電圧よりも小さい場合に、出力端子から主制御手段９９にＯＦＦ信号（本実施形態ではＬレベルの信号）を出力するようになっている。また、コンパレータ９６は、操作スイッチ８１が押圧操作されて第２電気経路９３が通電状態に切り替えられ、プラス側入力端子に入力される電気の電圧が、マイナス側入力端子に入力される電気の電圧よりも大きくなった場合に、出力端子から主制御手段９９にＯＮ信号（本実施形態ではＨレベルの信号）を出力するようになっている。主制御手段９９は、コンパレータ９６の出力端子からＯＮ信号が入力されたことを条件として、前記遊技盤１３に配置された液晶式図柄表示装置（図示略）を作動させるための制御を行うようになっている。本実施形態において、液晶式図柄表示装置では、複数種類の図柄（数字、絵など）を複数列で変動させて図柄組み合わせを導出させる図柄組み合わせゲームが行われるようになっている。
【００７４】
本実施形態において、主制御手段９９は、液晶式図柄表示装置で図柄変動演出が行われている際に操作スイッチ８１が操作されると、操作されたタイミングで変動中の図柄を停止する制御を行うようになっている。また、主制御手段９９は、操作スイッチ８１の操作を契機として、液晶式図柄表示装置に表示される図柄が変動を開始する制御を行うようにしてもよい。このようにすれば、遊技者参加型のパチンコ機１０となり、遊技者によりいっそうの興趣をもたせることができる。なお本実施形態では、前記各発光ダイオード７３を同時に点灯させることにより、遊技者に操作スイッチ８１の操作が促されるようになっている。しかし、各発光ダイオード７３を順番に点灯させることにより、遊技者に操作スイッチ８１の操作タイミングを知らせてもよい。
【００７５】
なお、液晶式図柄表示装置にキャラクタ（人物、動物など）を登場させ、操作スイッチ８１の押圧にあわせてキャラクタが動作（キャラクタが走るなど）するような制御を主制御手段９９によって行ってもよい。また、操作スイッチ８１の押圧の繰り返し(いわゆる、連打)スピードによってキャラクタの動作が異なるようにしてもよい。この場合には、遊技者による連打の速さによって遊技内容が変わったという感覚を与えることができる。従って、遊技者にとって有利な状況になるのではないかといった期待を遊技者に抱かせることができる。
【００７６】
また、液晶式図柄表示装置に、複数種類のリーチ（例えば、森リーチ、川リーチ、海リーチ、空リーチなど）から一つのリーチを選択させるリーチ選択画面を表示させ、操作スイッチ８１が操作される度にリーチを順番に選択するような制御を主制御手段９９によって行ってもよい。従って、遊技者がリーチを選択するという遊技者参加型のパチンコ機１０となり、遊技者によりいっそうの興趣をもたせることができる。
【００７７】
さらに、操作スイッチ８１を打球発射装置のストップボタンとして用いてもよい。通常、打球発射装置は操作ハンドル１７の回動操作により作動するが、このようにすれば、操作ハンドル１７の回動操作を行っているときに操作スイッチ８１を操作することにより、打球の発射が停止される。また、操作スイッチ８１を打球発射装置のスタートボタンとして用いてもよい。このようにすれば、操作スイッチ８１を操作することにより打球の発射が開始される。なお、これらの場合、操作スイッチ８１が操作ハンドル１７の近傍に配置されるため、操作スイッチ８１の操作が容易になる。
【００７８】
ところで、打球発射装置のストップボタン、スタートボタンとしての機能と、液晶式図柄表示装置による演出に関連するスイッチとしての機能とを、一つの操作スイッチ８１で両立させることは困難である。そこで、一方の装飾部材４１(例えば、右側の装飾部材４１)の操作スイッチ８１を２つに分割し、一方に打球発射装置のストップボタン、スタートボタンとしての機能を持たせ、他方に液晶式図柄表示装置による演出に関連するスイッチとしての機能を持たせてもよい。また、両方の装飾部材４１に操作手段としての機能を付与し、例えば左側の操作スイッチ８１に液晶式図柄表示装置による演出に関連するスイッチとしての機能を持たせ、右側の操作スイッチ８１に打球発射装置のストップボタン、スタートボタンとしての機能を持たせてもよい。
【００７９】
従って、本実施形態によれば以下の効果を得ることができる。
【００８０】
（８）操作スイッチ８１は、第１の実施形態における装飾部材４１に操作手段としての機能をもたせたものであるため、操作スイッチ８１を装飾部材４１と別々に設けなくても済む。よって、パチンコ機１０全体のデザインの自由度を高めることが可能になるとともに、下球皿ユニット１６の成形コストを低減させることができる。しかも、装飾部材４１が実は操作スイッチ８１でもあるという斬新なアイデアが遊技者に興趣をもたせることができる。また、遊技者が握っている操作ハンドル１７の近傍に配置されている装飾部材４１が操作スイッチ８１となるため、遊技者は操作ハンドル１７を操作しながら、操作スイッチ８１の操作を行うことができる。
【００８１】
（９）後側段部３１に発光ダイオード７３が設けられ、発光ダイオード７３を覆うように操作スイッチ８１が配置され、操作スイッチ８１の裏面に複数の溝部４４ａが形成されている。即ち、操作スイッチ８１には光拡散処理（具体的にはディンプル加工）が施されることとなる。よって、発光ダイオード７３を発光させると、光が拡散されてぼかされるため、発光ダイオード７３の光がカクテルになって面白い光演出効果を醸し出すことができる。即ち、操作スイッチ８１の意匠性をより高めることができる。
【００８２】
（１０）発光手段として発光ダイオード７３が用いられているため、発光ダイオード７３の長寿命化、省電力化を図ることができる。また、発光ダイオード７３は、概して小型電球などの他の発光手段に比べて小型であるため、後側段部３１の大型化も回避することができる。
【００８３】
なお、本発明の実施形態は以下のように変更してもよい。
【００８４】
・上記両方の実施形態では、球皿ユニット１６において球受皿部６１の左右両側にそれぞれ後側段部３１が設けられていたが、それに加えて、下側にも後側段部３１を設けてもよい。
【００８５】
・上記両方の実施形態においては、球受皿部６１を構成する下皿基体６２及び下皿装飾カバー６３が別体に形成されていたが、一体に形成してもよい。
【００８６】
・上記第２の実施形態にて開示した操作スイッチ８１を必要としないパチンコホールも存在すると思われる。よって、上記第１の実施形態にて開示した操作手段としての機能を有しない装飾部材４１と、上記第２の実施形態にて開示した操作手段としての機能を有する装飾部材４１（操作スイッチ８１）とを、パチンコホールの要求にあわせて選択できるようにしてもよい。
【００８７】
・上記両方の実施形態においては、灰皿１８は回転式であったが、必ずしも回転式でなくてもよい。また、灰皿１８は省略されていてもよい。
【００８８】
・上記両方の実施形態においては、操作ハンドル１７及び灰皿１８には発光手段が設けられていなかったが、操作ハンドル１７及び灰皿１８の少なくとも一方にも発光手段を設けて、発光演出をさせるようにしてもよい。なお、操作ハンドル１７及び灰皿１８の発光演出と、装飾部材４１（操作スイッチ８１）の発光演出との間に関連性をもたせてもよい。
【００８９】
・上記両方の実施形態において使用した可撓性を有するシール部材３４に代え、可撓性を有しない薄板を貼り付けるようにしても構わない。また、シール部材３４を貼付する代わりに、シール位置決め用凹部３３の表面にめっきを施して金属光沢を付与してもよい。なお、シール部材３４は必須ではないので省略してもよい。
【００９０】
・前記第１の実施形態において、後側段部３１に発光ダイオード７３や小型電球などの発光手段を設け、同発光手段を覆うように装飾部材４１を取り付けてもよい。
【００９１】
・上記第２の実施形態において、発光手段として発光ダイオード７３を用いる代わりに、小型電球を用いてもよい。
【００９２】
また、発光ダイオード７３及び小型電球を適宜組み合わせたものを、発光手段として用いてもよい。従って、小型電球及び発光ダイオード７３を適宜組み合わせて発光させることにより、各々の性質を生かした多様な発光態様を実現することができる。つまり、小型電球の長所と発光ダイオード７３の長所とを生かすことで、相乗的な効果を得ることができる。それゆえ、遊技者の興趣向上につながる発光演出を十分に行うことができる。
【００９３】
・上記第２の実施形態においては、発光ダイオード７３の照射方向が遊技者側に設定されていたが、発光ダイオード７３の照射方向を、球皿ユニット１６の下方に設定してもよい。即ち、通常球皿ユニット１６の下方に置かれる遊技球を入れておくための球箱（いわゆるドル箱）を、発光ダイオード７３によって照らすようにしてもよい。
【００９４】
また、中枠１２などの所定位置に反射部材を設けるとともに、発光ダイオード７３の照射方向を反射部材側に設定しておくことにより、反射部材によって反射された発光ダイオード７３からの光によって球箱内を照らすように設定してもよい。
【００９５】
・上記第２の実施形態において、発光ダイオード７３の基端側に、発光ダイオード７３の取付角度を変更するためのアクチュエータを設け、同アクチュエータを駆動させることにより、発光ダイオード７３の照射方向を変化させるように構成してもよい。例えば、発光ダイオード７３が、球箱内を照らしたり、遊技者側を照らしたりするようにしてもよい。
【００９６】
・上記第２の実施形態では、操作スイッチ８１の裏側に発光ダイオード７３が配置されていたが、発光ダイオード７３は設けられていなくてもよい。
【００９７】
・上記第２の実施形態では、操作スイッチ８１は、遊技者によって押圧操作されることにより、遊技の開始操作を行うようになっていたが、遊技者が操作スイッチ８１上に設置されたタッチセンサに触れることにより、遊技の開始操作を行うようにしてもよい。タッチセンサとしては、遊技者の手が接触して静電容量が変化したときに、ＯＮ信号を主制御手段９９に出力させるものなどが挙げられる。
【００９８】
・上記両方の実施形態における構成は、遊技機としてのパチンコ機１０に適用されていたが、アレンジボール遊技機などの他の遊技機に適用してもよい。
【００９９】
次に、特許請求の範囲に記載された技術的思想のほかに、前述した実施形態によって把握される技術的思想を以下に列挙する。
【０１００】
（１）前記操作手段は、遊技の停止操作または開始操作を行うための機能を有していることを特徴とする請求項１乃至４のいずれか１項に記載の遊技機。
【０１０１】
（２）前記操作手段は、遊技者によって押圧操作される操作スイッチであることを特徴とする請求項５または技術的思想（１）に記載の遊技機。
【０１０２】
（３）前記段部に発光手段を設けたことを特徴とする請求項１に記載の遊技機。
【０１０３】
（４）前記発光手段は、前記球皿ユニットの下方を照らすように設定されていることを特徴とする技術的思想（３）に記載の遊技機。
【０１０４】
（５）前記発光手段は、照射方向が変化するように構成されていることを特徴とする技術的思想（３）または（４）に記載の遊技機。
【０１０５】
（６）前記段部に発光手段を設け、前記発光手段を覆うように前記装飾部材を取り付け、前記装飾部材の裏面に複数の溝部を形成したことを特徴とする請求項３または４に記載の遊技機。よって、技術的思想（６）によれば、発光手段を発光させることにより、装飾部材の意匠性をより高めることができる。
【０１０６】
（７）球受皿部を有する球皿ユニットを備えた遊技機において、前記球皿ユニットの長手方向一端側に打球発射操作を行うための操作ハンドルを配置する一方、前記球皿ユニットの長手方向他端側に灰皿を配置し、前記球皿ユニットの長手方向略中央部に、下方に行くに従って幅狭となる外形の前記球受皿部を着脱可能に取り付け、前記球受皿部と前記操作ハンドルとの間、及び、前記球受皿部と前記灰皿との間に、それぞれ前記球皿ユニットの前面側に突出する段部を設け、前記両方の段部に、前記球受皿部の側面に沿った形状の皿部支持面を設けたことを特徴とする遊技機。
【０１０７】
（８）前記灰皿は、前記球皿ユニットに対して回転可能に取り付けられていることを特徴とする技術的思想（７）に記載の遊技機。よって、技術的思想（８）によれば、灰皿の掃除が容易になる。
【０１０８】
（９）前記操作ハンドル及び前記灰皿の少なくとも一方は、前記球皿ユニットに着脱可能に取り付けられていることを特徴とする技術的思想（７）または（８）に記載の遊技機。
【０１０９】
（１０）前記段部の基端から前記装飾部材の前面までの高さは、前記段部の基端から前記操作ハンドルの前後方向に延びる軸本体を中心として回動する回動部までの高さよりも低くなるように設定されていることを特徴とする技術的思想（７）〜（９）のいずれか１つに記載の遊技機。よって、技術的思想（１０）によれば、操作ハンドルの操作時に手が装飾部材に接触するのを防止できるため、操作ハンドルの操作性を維持することができる。
【０１１０】
（１１）前記灰皿が前後方向に延びる軸部を中心として回動する回動式である場合に、前記段部の基端から前記装飾部材の前面までの高さが、前記段部の基端から前記灰皿の回動部の回動軌道までの高さよりも低くなるように設定されていることを特徴とする技術的思想（７）〜（１０）のいずれか１つに記載の遊技機。よって、技術的思想（１１）によれば、灰皿の清掃時に灰皿を時計回り方向または反時計回り方向に回動させた際にも、清掃者の手が装飾部材に接触せず、効率の良い清掃作業が可能となる。
【０１１１】
（１２）長手方向略中央部に下方に行くに従って幅狭となる外形の前記球受皿部を着脱可能に取り付け、前記球受皿部の少なくとも左右両側に前面側に突出する段部を設け、前記両方の段部に、前記球受皿部の側面に沿った形状の皿部支持面を設けたことを特徴とする球皿ユニット。
【図面の簡単な説明】
【０１１２】
【図１】第１の実施形態におけるパチンコ機を示す斜視図。
【図２】下球皿ユニットの正面図。
【図３】球受皿部の組付方法を示す正面図。
【図４】下球皿ユニットの分解斜視図。
【図５】図３のＡ−Ａ線における断面図。
【図６】第２の実施形態における操作スイッチなどを示す断面図。
【図７】同じく、操作スイッチなどを示す回路図。
【符号の説明】
【０１１３】
１０…遊技機としてのパチンコ機
１１…遊技機枠としての外枠
１６…球皿ユニットとしての下球皿ユニット
２１…ベース部材
３１…段部（後側段部）
３２…皿部支持面
３４…装飾としてのシール部材
３５…係合部としての装飾部材係合部
４１…装飾部材
４２…フランジ部
５１…カバー部材
５４…開口部
５５…前側段部
６１…球受皿部
６８…側面
８１…操作手段としての操作スイッチ
【図１】
2005095225.tif 000003
【図２】
2005095225.tif 000004
【図３】
2005095225.tif 000005
【図４】
2005095225.tif 000006
【図５】
2005095225.tif 000007
【図６】
2005095225.tif 000008
【図７】
2005095225.tif 000009